(57)【要約】【課題】回動保持しやすい発射レバーの構成を提供する。【解決手段】発射レバー４４ａを、ハンドルベース４１に回動可能に保持され、その回動角度により、遊技球の打圧強度を設定する摺動環体６０と、指掛突部６６を有する指掛片６５とで構成し、指掛片６５を、摺動環体６０の外周部７３に形成される摺動溝６１に沿って移動可能に配設すると共に、指掛片６５を、摺動溝６１内の任意位置で係止可能とした。【選択図】　図５
2004081248.tif 000002
【特許請求の範囲】
【請求項１】
遊技機前面に突設されたハンドルベースと、その前面を被覆するハンドルカバーとの間に、外周面に遊技者の指掛かりとなる指掛突部が突設され、非操作状態からの回動角度により遊技球の打圧強度を設定する発射レバーを回動可能に介装してなる発射ハンドルを備えたパチンコ遊技機において、
前記発射レバーを、ハンドルベースに回動可能に保持され、その回動角度により、遊技球の打圧強度を設定する摺動環体と、指掛突部を有する指掛片とで構成し、
指掛片を、摺動環体の外側に、周方向に移動可能に配設すると共に、該指掛片を、摺動環体の任意位置で係止可能としたことを特徴とするパチンコ遊技機。
【請求項２】
摺動環体に、周方向に形成される係合周路と、該係合周路と連通した外方へ開口する開放周路とが連成されてなる円周方向に沿った摺動溝を内設すると共に、指掛片を、摺動環体の外周面に配設される指掛突部と、係合周路内で節度手段により所定位置に移動可能に保持される係合鍔部と、指掛突部と係合鍔部間に配設されて、開放周路に挿通される頸部とで構成したことを特徴とする請求項１に記載のパチンコ遊技機。
【請求項３】
摺動環体に形成された係合周路の外周面と内周面のいずれかに、前後方向の嵌合溝又は嵌合突起を複数周設すると共に、指掛片の係合鍔部に、係合周路に形成された嵌合溝のいずれかに嵌合する嵌合突起、又は係合周路に形成された嵌合突起のいずれかに嵌合する嵌合溝を設けたことを特徴とする請求項１又は請求項２に記載のパチンコ遊技機。
【請求項４】
嵌合突起と嵌合溝が嵌合するように指掛片を付勢する付勢手段を備えたことを特徴とする請求項３に記載のパチンコ遊技機。
【請求項５】
遊技機前面に突設されたハンドルベースと、その前面を被覆するハンドルカバーとの間に、外周面に遊技者の指掛かりとなる指掛突部が突設され、非操作状態からの回動角度により遊技球の打圧強度を設定する発射レバーを回動可能に介装してなる発射ハンドルを備えたパチンコ遊技機において、
前記発射レバーを、ハンドルベースに回動可能に保持され、その回動角度により、遊技球の打圧強度を設定する摺動環体と、指掛突部を外周に備え、該摺動環体に回動可能に嵌着される指掛環体とで構成すると共に、
摺動環体と、指掛環体の、前後で接する接合面に一対の係合部を設け、接合面相互が接合し、指掛環体が摺動環体に対して所定回動位置に保持される係合位置と、接合面が分離して、指掛環体が摺動環体に対して、回動可能となる係合解除位置とに、指掛環体を前後に位置変換可能としたことを特徴とするパチンコ遊技機。
【請求項６】
一対の係合部が、摺動環体と指掛環体の接合面の、いずれか一方の周部に等間隔に周設される前後方向の複数の嵌合穴部と、他方の周部に突設され、該嵌合穴部に嵌合する嵌合突起とからなることを特徴とする請求項５に記載のパチンコ遊技機。
【請求項７】
指掛環体を係合位置へと付勢する付勢手段を備えたことを特徴とする請求項５又は請求項６に記載のパチンコ遊技機。
【発明の詳細な説明】
【０００１】
【発明の属する技術分野】
本発明は、遊技盤面に遊技球を打圧発射する発射装置を備えたパチンコ遊技機にあって、遊技球の打圧強度を設定する発射レバーに関するものである。
【０００２】
【従来の技術】
一般的に、パチンコ遊技機には、遊技盤面上へ遊技球を発射するための発射装置が設けられている。この発射装置は、遊技機裏に配設され、遊技球を打圧する打圧装置と、遊技機前面に突設され、該打圧装置による遊技球の打圧強度の調節部位をなす発射ハンドルとで構成される。
【０００３】
前記発射ハンドルは、遊技機前面に突設されるハンドルベースと、その前面を被覆するハンドルカバーとの間に、環状のハンドルレバーが回動可能に介装されてなる。そして、該発射レバーには、外周面に遊技者の指掛かりとして、複数の指掛突部が形成されており、遊技者が発射レバーを回動操作することで、打圧装置により遊技球が打圧発射され、その回動角度を大きくする程勢い良く遊技球が発射される。従って、遊技者は、盤面上の最適な位置に遊技球を打ち出すことができるように、この発射レバーを回動調整し、最適と思われる位置で保持し、打球動作を継続することとなる。また、遊技の途中において発射レバーから手を離した場合には、発射レバーはコイルバネ等の付勢力により、基準位置へ戻るように構成されており、遊技再開の場合は前記動作を繰り返すこととなる。
【０００４】
【発明が解決しようとする課題】
ところで、上述の発射レバーの形状は、指掛突部を外周面に形成することで、遊技者が把持し易いようになっている。しかし、その形状は、平均的な遊技者の手の大きさに合わせて設計されており、手の大きい遊技者や、手の小さい遊技者にとっては、発射レバーの形状は必ずしも好適なものではない。
【０００５】
また、多くの指掛突部は、遊技中に最も保持頻度が高いと予想される発射レバーの回動角度を、遊技者が楽な姿勢で保持できるような位置に配設される。しかし、このような発射レバーでは、遊技者が楽な姿勢で保持できるのは、使用頻度の高い回動角度付近だけであり、発射レバーを、これ以外の回動角度で保持する場合には、指掛突部の配設位置は遊技者にとって適切なものではなく、遊技者は不自然な姿勢で発射レバーを保持しなければならない。例えば、第三種パチンコ遊技機にあっては、大当り時に、遊技球を遊技盤面右方に配設される大入賞口に入賞させるため、通常とは異なる偏った回動角度で発射レバーを長時間保持する必要が生じ、遊技者に疲労感を与えてしまっている。
【０００６】
本発明は、かかる問題の解決を試みたものであり、遊技者が保持し易い発射レバーを備えたパチンコ遊技機を提供することを目的とする。
【０００７】
【課題を解決するための手段】
本発明は、遊技機前面に突設されたハンドルベースと、その前面を被覆するハンドルカバーとの間に、外周面に遊技者の指掛かりとなる指掛突部が突設され、非操作状態からの回動角度により遊技球の打圧強度を設定する発射レバーを回動可能に介装してなる発射ハンドルを備えたパチンコ遊技機において、前記発射レバーを、ハンドルベースに回動可能に保持され、その回動角度により、遊技球の打圧強度を設定する摺動環体と、指掛突部を有する指掛片とで構成し、指掛片を、摺動環体の外側に、周方向に移動可能に配設すると共に、該指掛片を、摺動環体の任意位置で係止可能としたことを特徴とするパチンコ遊技機である（請求項１）。
【０００８】
かかる構成にあっては、指掛突部を、発射ハンドルの外周面上の任意位置に選択的に固定することが可能となる。従って、遊技者は、自分の手の大きさや、発射レバーの保持角度に合わせて、指掛突部の固定位置を調整することで、発射レバーを快適に保持でき、遊技を長時間楽しむことが可能となる。
【０００９】
ここで、摺動環体に、周方向に形成される係合周路と、該係合周路と連通した外方へ開口する開放周路とが連成されてなる円周方向に沿った摺動溝を内設すると共に、指掛片を、摺動環体の外周面に配設される指掛突部と、係合周路内で節度手段により所定位置に移動可能に保持される係合鍔部と、指掛突部と係合鍔部間に配設されて、開放周路に挿通される頸部とで構成してもよい（請求項２）。かかる構成にあっては、指掛片を摺動環体の摺動溝に沿って移動可能とすると共に、節度手段を用いて、該指掛片を摺動溝の複数位置で係止可能としたものである。
【００１０】
また、係合周路内で、指掛片を所定位置に移動可能に保持する節度手段としては、摺動環体に形成された係合周路の外周面と内周面のいずれかに、前後方向の嵌合溝又は嵌合突起を複数周設すると共に、指掛片の係合鍔部に、係合周路に形成された嵌合溝のいずれかに嵌合する嵌合突起、又は係合周路に形成された嵌合突起のいずれかに嵌合する嵌合溝を設けた構成が提案される（請求項３）。かかる構成では、指掛鍔部と、係合周路の、一方に嵌合溝を、他方に嵌合突起を形成し、該嵌合溝と該嵌合突起との嵌合により、係合周路に形成される嵌合溝又は嵌合突起の形成される複数箇所で、指掛片を、摺動環体の周方向に対して係止可能としたものである。
【００１１】
さらに、嵌合突起と嵌合溝が嵌合するように指掛片を付勢する付勢手段を備えてもよい（請求項４）。かかる構成では、指掛片と摺動環体との間に、コイルバネ等の弾性部材を配設し、係合鍔部が摺動溝と係合する方向へ付勢するようにしたものである。これにより、指掛突部の固定が安定したものとなると共に、指掛突部の位置を変更する際に、該付勢手段により、指掛片を摺動環体と再び係合させやすくなる。
【００１２】
また、発射レバーを、ハンドルベースに回動可能に保持され、その回動角度により、遊技球の打圧強度を設定する摺動環体と、指掛突部を外周に備え、摺動環体に回動可能に嵌着される指掛環体とで構成すると共に、摺動環体と、指掛環体の、前後で接する接合面に一対の係合部を設け、接合面相互が接合し、指掛環体が摺動環体に対して所定回動位置に保持される係合位置と、接合面が分離して、指掛環体が摺動環体に対して、回動可能となる係合解除位置とに、指掛環体を前後に位置変換可能とした構成（請求項５）においても、指掛突部の配設位置を、発射レバーの周方向に調節可能とできる。かかる構成では、指掛片を一体に備える指掛環体を、摺動環体に対して回動可能に配設すると共に、指掛環体と、摺動環体とを、複数の回動角度において係合可能としたものである。これにより、指掛突部を複数備えた場合には、発射レバーにおける、指掛突部の固定位置が、周方向に一体的に変換可能となり、指掛突部の位置を調節することにより、発射レバーをいかなる回動角度においても、楽な姿勢で保持可能となる。
【００１３】
そして、指掛環体と、摺動環体との係合機構としては、一対の係合部が、摺動環体と指掛環体の接合面の、いずれか一方の周部に等間隔に周設される前後方向の複数の嵌合穴部と、他方の周部に突設され、該嵌合穴部に嵌合する嵌合突起とからなる構成が提案される（請求項６）。かかる構成では、一方の係合部の環状に配設される複数の嵌合穴部に対して、他方の係合部の嵌合突起が、いずれの嵌合穴部にも嵌合可能となっており、係合部同士は相互に複数の回動角度で係合できる。なお、この場合、嵌合突起の数は一つでもよいし、嵌合穴部の数だけ配設してもよい。
【００１４】
また、指掛環体を係合位置へと付勢する付勢手段を備えてもよい（請求項７）。かかる構成にあっては、弾性部材等により、指掛環体を係合位置に付勢するようにしたものである。これにより、指掛環体と摺動環体との係合が安定したものとなると共に、係合解除位置から係合位置への、指掛環体の位置変換が容易なものとなる。
【００１５】
【発明の実施の形態】
図１はパチンコ遊技機１の正面図である。このパチンコ遊技機１の外枠１０には、開閉自在な前枠２が取付けられ、この前枠２の上部後方には遊技盤３が配設されている。この遊技盤面中央の遊技領域１１には、図柄表示装置６や大入賞口８等が設けられる。
【００１６】
この遊技盤３の右下方から遊技球が発射されると、この遊技球は案内レール１２の案内作用により遊技領域１１へ送り出される。そして、この遊技領域１１に設けられた特別始動領域７に遊技球が入ると、図柄表示装置６が駆動する。さらに、連続してこの特別始動領域７に遊技球が通過すると、所定個数を限度として入賞記憶が可能となり、この入賞記憶の消化によっても、図柄表示装置６が駆動する。そして、この図柄表示装置６で表示された図柄が所定の組合せとなると、大入賞口８が開放して、大当り作動が発生することとなる。
【００１７】
また、前記前枠２の下方には上受け皿４が取付けられ、さらにその下方には下受け皿５が取付けられている。そして、この下受け皿５の右側方には、本発明にかかる発射装置の一部を構成する発射ハンドル４０が突出して設けられている。
【００１８】
次に、発射装置について詳細に説明する。
図２に示すように、発射装置は、前記発射ハンドル４０と、遊技機裏に配設される、打圧装置４５とで構成される。そして、発射ハンドル４０は、基部側を被覆するハンドルベース４１と、前部側を被覆するハンドルカバー４２とを備え、これらハンドルベース４１とハンドルカバー４２との間には、遊技機本体側から順に、打球位置を調節するための発射レバー４４、及び遊技者の手の接触を検知するタッチセンサ４３が介装されている。ここで、発射レバー４４は、中心に嵌合された回転軸４６によって、ハンドルベース４１に周方向に可逆回動可能に支持されており、発射コイルバネ２１（図３参照）に連結されて基準位置に常時付勢されている。
【００１９】
一方の打圧装置４５は、図３に示すように、発射駆動モータ２０、発射駆動モータ制御基板５０、発射鎚５１等を具備し、遊技機裏に配設される支持基板４８からなる。ここで、発射鎚５１は、左右方向に回動可能に軸支され、発射コイルバネ２１とこれと接続されたワイヤー２１ａを介して遊技機の中央方向へ付勢されており、下端をストッパー２２に当接させることにより、上端側の打圧位置を規定するようにしている。そして、発射鎚５１には、軸支部から発射駆動モータ２０に向けて突成した支持アーム２３にカムフォロア２４が取付けられており、また、発射駆動モータ２０の回転軸２５には、その回転により前記カムフォロア２４と嵌合可能なウィングカム２６が取付けられている。
【００２０】
所定条件が充足されて発射駆動モータ２０が駆動すると、ウィングカム２６が回転する。そして、このウィングカム２６がカムフォロア２４と嵌合し、発射鎚５１を発射コイルバネ２１の付勢に抗して遊技機の外側方向に傾動させる。ウィングカム２６がさらに回転してカムフォロア２４との嵌合が外れて発射鎚５１が解放状態となると、発射鎚５１がこの傾動位置から発射コイルバネ２１の付勢力よって打圧回動する解放位置に変換される。すなわち、発射鎚５１は打圧位置まで瞬間的に引き戻される。この変換作動の繰り返しにより、発射鎚５１が一定間隔で連続的に打圧作動を生じるようになっている。このように打圧装置４５は、遊技球を打圧して、打圧位置から発射レール２８の案内作用によって遊技球を遊技盤３の遊技領域１１へ打ち出すようにしている。
【００２１】
なお、発射レバー４４は発射コイルバネ２１とワイヤー２１ａを介して連繋し、この発射レバー４４の回動角度により発射コイルバネ２１の張力が変化する。すなわち、この発射レバー４４を右方向へ回転すればするほど、ワイヤー２１ａとの連繋端は発射レバー４４の周方向に変位し、ウィングカム２６との嵌合解除により生ずる発射鎚５１の復元反力の力が強くなって打圧力が増すこととなる。これにより、遊技球は強く打圧され、遊技盤３面の右方へ打ち出されることとなる。このように、発射レバー４４の回動角度により、遊技盤３面上での遊技球の打ち出し位置が調整される。
【００２２】
また、上受け皿４の裏面側には、整流器２７が装着されており、発射駆動モータ２０が駆動すると、その内部の球送り部材（図示省略）の作動により、発射レール２８に整流器２７の連通孔３０から遊技球が一個づつ供給される。そして、発射鎚５１がこの遊技球を打圧すると、遊技球が発射される。また、これに続いて連通孔３０から、再び打圧位置に遊技球が供給される。このように、発射駆動モータ２０の駆動と同期して、打圧位置に遊技球が、順次約０．６秒の間隔を置きながら間欠的に送りこまれる。なお、発射駆動モータ制御基板５０、発射駆動モータ２０、ウィングカム２６、及びカムフォロア２４により間欠回動装置が構成される。
【００２３】
次に、本発明の第一実施例について図４〜図８を参照して説明する。
本実施例においては、図４に示すように、三つの指掛突部６６，６６，６６を、発射レバー４４ａの外周面に沿って移動可能に配設すると共に、それぞれの指掛突部６６を、該発射レバー４４ａの外周面の複数位置に固定可能としたものである。前記発射レバー４４ａは、図５に示すように、円周方向に沿った摺動溝６１を備える環状の摺動環体６０と、該摺動溝６１に嵌合され、外側面に指掛突部６６を突出する、三つの指掛片６５，６５，６５とで構成される。
【００２４】
かかる各構成を詳細に説明する。
図６に示すように、摺動環体６０は、摺動溝６１が形成される外周部７３と、回転軸４６が嵌入する貫通孔７６を形成される中心部７４と、外周部７３と中心部７４との間に、円周方向及び半径方向に配設されるフレーム７５とにより構成される。また、該摺動環体６０は、前記回転軸４６（図５参照）を介して、遊技機裏の発射コイルバネ２１（図３参照）と連繋しており、摺動環体６０の回動角度により、該発射コイルバネ２１の張力が変化し、遊技球の打圧強度が設定される。
【００２５】
そして、指掛片６５が内部に嵌入する摺動溝６１は、外周部７３の内部に円周方向に沿って形成されている。そして、該摺動溝６１は、前後方向に拡がり、内部に指掛片６５が係止される内側の係合周路６２と、摺動環体６０の外側と連通する外側の開放周路６３とを連成することにより構成される（図１０参照）。さらに、前記係合周路６２の前方外周面には、前後方向の嵌合溝６４が周方向に沿って１０°刻みに複数形成されている。
【００２６】
一方、指掛片６５は、図７に示すように、摺動環体６０の外周面に突出する指掛突部６６と、係合周路６２に嵌着される係合鍔部６７とが、開放周路６３に挿入される頸部６８により連結されてなる。そして係合鍔部６７の外側面前部には、前記嵌合溝６４と嵌合する嵌合突起６９が配設される。また、図８に示すように、係合鍔部６７の内底面には、二箇所の外側方向の円形穴部７０，７０が形成されており、各円形穴部７０には、内側端に押圧片７２を備えるコイルバネ７１が嵌着され、該押圧片７２を係合鍔部６７の内底面から突出させている。
【００２７】
そして、図９イ，図１０イに示すように、嵌合溝６４に、嵌合突起６９が嵌合されている状態では、該指掛片６５は、摺動環体６０の周方向に対して係止され、遊技者は該指掛突部６６に指を掛けることにより、摺動環体６０を回動させることができる。また、かかる状態では、指掛片６５は、係合鍔部６７の内側面に押圧片７２が突出しており、コイルバネ７１の弾性力により、指掛片６５を外側方向へ付勢している。
【００２８】
さらに、図９ロ，図１０ロに示すように、上述の状態において、指掛突部６６をコイルバネ７１の弾性力に逆らい内側方向に押圧すると、押圧片７２は円形穴部７０に嵌入し、指掛片６５が内側方向に変位することにより、嵌合突起６９と嵌合溝６４との嵌合が解除される。かかる状態では、指掛片６５が摺動環体６０の周方向に摺動可能となり、遊技者は指掛突部６６を所望の位置へ移動させることが可能となる。そして、かかる位置で、指掛突部６６の押圧を中止すると、コイルバネ７１により、該指掛片６５の嵌合突起６９が近傍の嵌合溝６４に嵌合し、該指掛片６５は、再び摺動環体６０に係止されることとなる。
【００２９】
かかる構成では、三つの指掛突部６６を、別々に発射レバー４４ａの外周面の複数位置に固定可能であり、遊技者は、指掛突部６６を押圧し、発射レバー４４ａの周方向に移動させることにより、該指掛突部６６を所望の位置に固定することができる。このため、遊技者は、自分の手の大きさや、発射レバー４４ａの保持角度に応じて、該指掛突部６６の位置を調節することで、該発射レバー４４ａを楽な姿勢で保持することができる。
【００３０】
次に、本発明の第二実施例を図１１〜図１３を参照して説明する。
本実施例においては、図１１に示すように、複数の指掛突部８３ａ，８３ｂを、発射レバー４４ｂの外周面に沿って、一体として移動可能に配設すると共に、該指掛突部８３ａ，８３ｂを該発射レバー４４ｂの外周面の複数位置で固定可能としたものである。なお、遊技盤３や、打圧装置４５等の構成は、第一実施例と同様であるため、重複する部分は、同一符号を付して説明を省略する。
【００３１】
図１２に示すように、発射レバー４４ｂは、ハンドルベース４１の前面に回動可能に保持される摺動環体８０と、外周面に複数の指掛突部８３ａ，８３ｂを有し、該摺動環体８０の前面に回動可能に嵌着される指掛環体８２とで構成される。また、前記指掛環体８２は、摺動環体８０に対して回動可能となる前方の係合解除位置と、摺動環体８２と係合し、回動不可能となる後方の係合位置とに変換可能に配設されており、指掛環体８２の前方には、指掛環体８２を係合位置へと付勢する付勢手段を構成する押圧環体８５が、タッチセンサ４３の後面に固着される。
【００３２】
かかる各構成を詳細に説明する。
前記摺動環体８０は、図１３に示すように、前面が指掛環体８２との接合面をなす外周部８９と、回転軸４６が嵌入される中心部９０と、外周部８９と中心部９０の間に、円周方向及び半径方向に配設されるフレーム９１とにより構成される。そして、第一実施例と同様に摺動環体８０は、前記回転軸４６を介して、遊技機裏の発射コイルバネ２１と連繋しており、摺動環体６０の回動角度により、該発射コイルバネ２１の張力が変化し、遊技球の打圧強度が設定される。
【００３３】
そして、外周部８９の前面には、指掛環体８２との係合部を構成する円柱状の嵌合突起８１が、円周に沿って１０°刻みに突設されている。又、外周部８９の内周部分は、前方に延成されており、指掛環体８２が回動可能に外嵌する嵌合片９２を形成している。
【００３４】
一方の、指掛環体８２は、図１４に示すように、後面が摺動環体８０との接合面を構成し、摺動環体８０の嵌合片９２に外嵌する環部９３と、環部９３の外周面に突設される大小の指掛突部８３ａ，８３ｂ，８３ｂ，８３ｂとで構成される。そして、環部９３の後面には、円周方向に沿って、前記嵌合突起８１と同数、同配列の嵌合穴部８４が形成されており、各嵌合突起８１が、夫々の嵌合穴部８４に嵌入可能となっている。かかる構成にあっては、相互に対向する環状の嵌合突起８１と、嵌合穴部８４とが、一対の係合部を構成するものであり、各嵌合突起８１と、各嵌合穴部８４とを相互角度を変化させて嵌合することにより、摺動環体８０と、指掛環体８２を、１０°刻みの回動角度で係合可能となっている。なお、係合可能となる回動位置の数は、嵌合穴部８４の数により決定されるため、嵌合突起８１は、全ての嵌合突起８１が、嵌合穴部８４に嵌入するように形成されていればよい。従って、嵌合突起８１の数は一つでも構わない。
【００３５】
また、指掛環体８２の前方の押圧環体８５は、図１５，図１６に示すように、前面をタッチセンサ４３に固着され、その後面には、四箇所の円形穴部８６が形成されている。そして、各円形穴部８６には、後端に押圧片８８を備えたコイルバネ８７が後方に向けて嵌着されており、各押圧片８８により、指掛環体８２の前面を押圧することにより指掛環体８２を係合位置へと付勢するようになっている。
【００３６】
そして、図１６イに示すように、指掛環体８２が、後方の係合位置にある場合には、押圧環体８５により、指掛環体８２は係合位置に付勢されており、各嵌合突起８１が、それぞれ対向する嵌合穴部８４に嵌入されている。かかる状態にあっては、指掛環体８２は摺動環体８０の周方向に対して係止されており、遊技者は、指掛突部８３ａ，８３ｂに指を掛け、発射レバー４４ｂを回動操作可能となる。
【００３７】
さらに、上述の状態において、指掛環体８２を手前に引き、コイルバネ８７の弾性力に逆らい、該指掛環体８２を係合解除位置へと移動させると、図１６ロに示すように、各嵌合突起８１が、嵌合穴部８４から外れ、摺動環体８０と指掛環体８２との係合が解除される。かかる状態にあっては、指掛環体８２を、係合解除位置に保持したまま、摺動環体８０に対して回動させ、指掛突部８３ａ，８３ｂの周方向に移動可能となる。また、指掛環体８２が係合解除位置にある状態で、指掛環体８２を放すと、該指掛環体８２は、コイルバネ８７の付勢力により、後方へ付勢され、係合位置へと復帰することとなる。
【００３８】
かかる構成にあっては、遊技者は指掛突部８３ａ，８３ｂを手前に引っ張り、指掛環体８２を係合解除位置へ変換し、摺動環体８０に対して回動させることにより、発射レバー４４ｂの外周面に配設された指掛突部８３ａ，８３ｂを一体的に移動させ、異なる回動角度で固定することが可能となる。これにより、遊技者は、発射レバー４４ｂを保持する回動角度に応じて、指掛突部８３ａ，８３ｂの位置を調節することで、どのような回動角度であっても、発射レバー４４ｂを、楽な姿勢で保持することが可能となる。また、押圧環体８５により、指掛環体８２を係合位置へと付勢することにより、指掛突部８３ａ，８３ｂの位置を変更する際に、指掛環体８２を係合位置へと復帰するのが容易となると共に、摺動環体８０と指掛環体８２との係合を安定したものとでき、遊技中の誤作動などにより、不意に指掛突部８３ａ，８３ｂの係止が解除されてしまうことを防止できる。
【００３９】
なお、上述の二つの実施例においては、発射レバー４４の回転量に応じて引張られるバネにより付勢された発射槌により遊技球を発射させる機械的な方式を採用しているが、遊技球を発射させる方式は、ソレノイドにより遊技球を発射させる電気的な方式にも適用することができる。
【００４０】
【発明の効果】
本発明は、発射レバーを、ハンドルベースに回動可能に保持され、その回動角度により、遊技球の打圧強度を設定する摺動環体と、指掛突部を有する指掛片とで構成し、指掛片を、摺動環体の外側に、周方向に移動可能に配設すると共に、該指掛片を、摺動環体の複数位置で係止可能としたことを特徴とするパチンコ遊技機であるから（請求項１）、発射レバーの周方向に対して、指掛突部の配設位置を調節することが可能となり、該発射レバーを、自分の手の大きさ、発射レバーの握り方に合った形状とすることができる。これにより、発射レバーの回動保持による疲労が軽減されるため、遊技者は、長時間遊技を楽しむことが可能となる。
【００４１】
ここで、摺動環体に、周方向に形成される係合周路と、該係合周路と連通した外方へ開口する開放周路とが連成されてなる円周方向に沿った摺動溝を内設すると共に、指掛片を、摺動環体の外周面に配設される指掛突部と、係合周路内で節度手段により所定位置に移動可能に保持される係合鍔部と、指掛突部と係合鍔部間に配設されて、開放周路に挿通される頸部とで構成した場合には（請求項２）、指掛片を複数備えた場合でも、安定した移動が可能となる。
【００４２】
そして、節度手段として、摺動環体に形成された係合周路の外周面と内周面のいずれかに、前後方向の嵌合溝又は嵌合突起を複数周設すると共に、指掛片の係合鍔部に、係合周路に形成された嵌合溝のいずれかに嵌合する嵌合突起、又は係合周路に形成された嵌合突起のいずれかに嵌合する嵌合溝を設けた場合には（請求項３）、指掛片を、摺動溝の多くの位置で確実に係止可能となる。
【００４３】
ここで、嵌合突起と嵌合溝が嵌合するように指掛片を付勢する付勢手段を備えた場合には（請求項４）、指掛突部の位置変換を円滑に行うことができると共に、摺動環体と指掛片との係合を安定したものとできる。
【００４４】
また、発射レバーを、ハンドルベースに回動可能に保持され、その回動角度により、遊技球の打圧強度を設定する摺動環体と、指掛突部を外周に備え、該摺動環体に回動可能に嵌着される指掛環体とで構成すると共に、摺動環体と、指掛環体の、前後で接する接合面に一対の係合部を設け、接合面相互が接合し、指掛環体が摺動環体に対して所定回動位置に保持される係合位置と、接合面が分離して、指掛環体が摺動環体に対して、回動可能となる係合解除位置とに、指掛環体を前後に位置変換可能とした構成（請求項５）では、指掛環体を摺動環体に対して回動し、該指掛突部の位置を調節することにより、どのような回動角度においても、発射レバーを楽な姿勢で保持可能となる。また、指掛環体の回りに、複数の指掛突部形成した場合には、複数の指掛突部を一体的に移動できるため、該指掛突部の位置変換を迅速なものとできる。
【００４５】
そして、上述の一対の係合部を、摺動環体と指掛環体の接合面の、いずれか一方の周部に等間隔に周設される前後方向の複数の嵌合穴部と、他方の周部に突設され、該嵌合穴部に嵌合する嵌合突起とで構成した場合には（請求項６）、簡素な機構により、指掛環体を、摺動環体に対して、多くの回動角度で係止することが可能となる。
【００４６】
また、指掛環体を係合位置へと付勢する付勢手段を備えた場合には（請求項７）、係合解除位置へ変換した指掛環体を、容易に係合位置へと復帰させることができる。また、指掛環体を係合位置に付勢することにより、指掛環体の係合が強固なものとなるため、遊技中に、不意に指掛環体が係合解除位置へ移動してしまうことを防止でき、遊技者は安心して発射レバーを操作できることとなる。
【図面の簡単な説明】
【図１】パチンコ遊技機１の正面図である。
【図２】発射装置を示す分解斜視図である。
【図３】打圧装置４５の裏面図である。
【図４】指掛突部６６，６６，６６の固定例（イ）、（ロ）を示す、発射ハンドル４０の正面図である。
【図５】発射ハンドル４０の分解斜視図である。
【図６】摺動溝６１を示す、摺動環体６０の横断面前方斜視図である。
【図７】指掛片６５の前方斜視図である。
【図８】円形穴部７０及びコイルバネ７１を示す、指掛片６５の部分断面図である。
【図９】第一実施例の発射レバー４４ａの拡大横断面図である。（イ）は指掛片６５が摺動環体６０に係止されている状態を、（ロ）は指掛片６５が摺動溝６１に沿って摺動可能な状態を示す。
【図１０】第一実施例の発射レバー４４ａの、嵌合突起６９を含む半径方向の拡大断面図である。（イ）は指掛片６５が摺動環体６０に係止されている状態を、（ロ）は指掛片６５が摺動溝６１に沿って摺動可能な状態を示す。
【図１１】指掛突部８３ａ，８３ｂの固定例（イ）、（ロ）を示す、発射ハンドル４０の正面図である。
【図１２】第二実施例の発射ハンドル４０を示す分解斜視図である。
【図１３】摺動環体８０及びハンドルベース４１の前方斜視図である。
【図１４】指掛環体８２の後方斜視図である。
【図１５】押圧環体８５及び、タッチセンサ４３、ハンドルカバー４２の後方斜視図である。
【図１６】第二実施例の発射ハンドル４０前部の縦断側面図である。（イ）は指掛環体８２が係合位置にある状態を、（ロ）は指掛環体８２が係合解除位置にある状態を示す。
【符号の説明】
４０　発射ハンドル
４１　ハンドルベース
４２　ハンドルカバー
４３　タッチセンサ
４４，４４ａ，４４ｂ　発射レバー
４６　回転軸
６０　摺動環体
６１　摺動溝
６５　指掛片
６６　指掛突部
６９　嵌合突起
８０　摺動環体
８１　嵌合突起
８２　指掛環体
８３　指掛突部
８４　嵌合穴部
８５　押圧環体
【図１】
2004081248.tif 000003
【図２】
2004081248.tif 000004
【図３】
2004081248.tif 000005
【図４】
2004081248.tif 000006
【図５】
2004081248.tif 000007
【図６】
2004081248.tif 000008
【図７】
2004081248.tif 000009
【図８】
2004081248.tif 000010
【図９】
2004081248.tif 000011
【図１０】
2004081248.tif 000012
【図１１】
2004081248.tif 000013
【図１２】
2004081248.tif 000014
【図１３】
2004081248.tif 000015
【図１４】
2004081248.tif 000016
【図１５】
2004081248.tif 000017
【図１６】
2004081248.tif 000018